(57)【要約】【課題】ノート型パソコンの支承構造を提供する。【解決手段】本発明のノート型パソコンの支承構造は、本体と、少なくとも一つの軌道と、可動素子と、からなる。本体は、横向部と縦向部を有し、縦向部内部は容置空間を設置し、且つ、頂端に開口を有する。横向部はパソコンのホスト部上に枢設され、ホスト部と可動旋転関係をなす。少なくとも一つの軌道は縦向部内側壁面に設置される。可動素子は容置空間に設置され、軌道と適合し、容置空間中で縦向け移動し、且つ、本体の開口から露出し、可動素子の露出した一端は、パソコンのディスプレイに枢設される。【選択図】図１
2008021073.tif 000002
【特許請求の範囲】
【請求項１】
ノート型パソコンの支承構造であって、前記ノート型パソコンは、ホスト部とディスプレイとからなり、前記支承構造は、
横向部と縦向部を有し、前記縦向部内部は容置空間を設置し、且つ、頂端に開口を有し、前記横向部は前記ホスト部上に枢設され、前記ホスト部と可動旋転関係をなす本体と、
前記縦向部内側壁面に設置される少なくとも一つの軌道と、
前記容置空間に設置され、前記軌道と適合し、前記容置空間中で縦向け移動し、且つ、前記本体の開口から露出し、露出した一端は、前記ディスプレイに枢設される可動素子と、
からなることを特徴とするノート型パソコンの支承構造。
【請求項２】
前記可動素子の露出した一端両側は、それぞれ回転軸を延伸して、前記ディスプレイに枢設され、前記ディスプレイ、及び、前記可動素子は可動の旋転関係を呈することを特徴とする請求項１に記載のノート型パソコンの支承構造。
【請求項３】
前記可動素子、及び、軌道間は、複数のボールを伝動界面とすることを特徴とする請求項１に記載のノート型パソコンの支承構造。
【請求項４】
前記可動素子、及び、軌道間に、少なくとも一つの摩擦素子を設置し、前記摩擦素子を制御して、前記可動素子を抵止するか否かで、前記可動素子の定位と移動を制御することを特徴とする請求項１に記載のノート型パソコンの支承構造。
【請求項５】
前記可動素子、及び、軌道間に、少なくとも一つのロック装置を設置し、前記可動素子の定位と移動を制御することを特徴とする請求項１に記載のノート型パソコンの支承構造。
【請求項６】
前記本体内側壁面の適当な位置に、少なくとも一つの弾性素子の一端を固設し、且つ、前記弾性素子のもう一端は、前記可動素子上に固設されることを特徴とする請求項１に記載のノート型パソコンの支承構造。
【請求項７】
前記弾性素子は、ばねであることを特徴とする請求項６に記載のノート型パソコンの支承構造。
【請求項８】
前記弾性素子は、逆Ｖ字ばねであることを特徴とする請求項６に記載のノート型パソコンの支承構造。
【請求項９】
前記本体は、前ハウジング、後ハウジングを一つに組設してなることを特徴とする請求項１に記載のノート型パソコンの支承構造。
【請求項１０】
前記後ハウジングの内側壁面に、少なくとも一つの定位凸ブロックを設置し、且つ、前記可動素子と前記後ハウジングが対応する一面に、少なくとも一つの定位槽を設置し、前記可動素子が移動する時、前記定位槽は前記定位凸ブロックに沿って移動することを特徴とする請求項９に記載のノート型パソコンの支承構造。
【請求項１１】
前記可動素子は、可動ベース、及び、カバーを有し、前記可動ベースは、前記軌道と適合し、前記可動ベース内部に少なくとも一つの線槽を設置して、前記ノート型パソコンの一部の線路を容納し、前記カバーにより前記可動ベースを被覆することを特徴とする請求項１に記載のノート型パソコンの支承構造。
【請求項１２】
前記横向部の相対する二端は、係合相をそれぞれ設置し、且つ、前記ディスプレイ下縁二側はそれぞれ、固定素子を設置し、前記係合槽と対応して、前記係合槽に係合させることを特徴とする請求項１に記載のノート型パソコンの支承構造。
【発明の詳細な説明】
【技術分野】
【０００１】
本発明は、ノート型パソコンの支承構造に関するものであって、特に、ノート型パソコンのディスプレイの高低位置と角度が調整できる支承構造に関するものである。
【背景技術】
【０００２】
ノート型パソコンは携帯に便利で、既に広く普及している。一般のノート型パソコンは、ホスト部、及び、ディスプレイからなり、ディスプレイは、一、或いは、複数の回転軸とホスト部を枢接し、ディスプレイはホスト部に相対して、開放、閉合の動作を行う。ユーザーは、ディスプレイを開いてパソコンを操作し、不使用時、ディスプレイをホスト部上方に蓋合する。
【０００３】
しかし、一般の環境下で、ディスプレイは、限られた視角しか提供できず、身長が異なる使用者へ適用しにくく、ある程度の妥協が求められる。よって、使用後の疲労を招き、人体の健康に影響する。また、ノート型パソコンは異なる場所に携帯されて使用されるので、ユーザーの環境空間が制限を受ける時、例えば、飛行機内での使用などは、前シートが傾斜する状況であり、ユーザーは適当な位置に調整することができず、効果的なパソコンの使用ができない。
【発明の開示】
【発明が解決しようとする課題】
【０００４】
上述の問題を解決するため、本発明は、ノート型パソコンのディスプレイとホスト部を連結する支承構造を提供し、ディスプレイに上下伸縮、及び、前傾後仰する功能を備えさせることを目的とする。
【０００５】
本発明は、操作時に、ディスプレイの視角の選択が幅広く、人体工学に更に符合し、健康に有益なノート型パソコンの支承構造を提供することをもう一つの目的とする。
【０００６】
本発明は、ユーザーの前上方空間が制限される時のディスプレイ使用問題を解決し、便利性を増加するノート型パソコンの支承構造を提供することを更なる目的とする。
【課題を解決するための手段】
【０００７】
上述の目的を達成するため、本発明のノート型パソコンの支承構造は、本体と、少なくとも一つの軌道と、可動素子と、からなる。本体は、横向部と縦向部を有し、縦向部内部は容置空間を設置し、且つ、頂端に開口を有する。横向部はパソコンのホスト部上に枢設され、ホスト部と可動旋転関係をなす。少なくとも一つの軌道は縦向部内側壁面に設置される。可動素子は容置空間に設置され、軌道と適合し、容置空間中で縦向け移動し、且つ、本体の開口から露出し、可動素子の露出した一端は、パソコンのディスプレイに枢設される。
【発明の効果】
【０００８】
本発明のノート型パソコンの支承構造は、ノート型パソコンのディスプレイの上下移動、及び、前傾後仰を提供し、ユーザーは操作時に、ディスプレイの視角の選択が幅広く、人体工学に更に符合し、健康に有益である。また、ユーザーの前上方空間が制限される時のディスプレイ使用問題を解決し、便利性を増加する。
【発明を実施するための最良の形態】
【０００９】
図１は、本発明のノート型パソコンの支承構造の局部分解図である。支承構造２０は、本体２２、二軌道２４、可動素子２６、及び、二弾性素子２８、からなる。本体２２は、容置空間２２１、及び、前ハウジング２２２、後ハウジング２２３を有し、前後ハウジング２２２、２２３はT字型で、横向部２２４と縦向部２２５を有し、後ハウジング２２３は、前ハウジング２２２と対応して組設され、且つ、縦向部２２５頂端は開口（図示しない）を形成する。
【００１０】
二軌道２４は、それぞれ、前ハウジング２２２の縦向部２２５内側壁面の二側縁に平行に設置される。可動素子２６は、可動ベース２６１、及び、T字型カバー２６２を有し、可動ベース２６１の二側縁は、それぞれ、凸ブロック２６３を形成し、軌道２４と適合して、可動ベース２６１が容置空間２２１中で縦向け移動ができ、且つ、縦向け部２２５頂端の開口から露出する。二弾性素子２８の一端は、可動ベース２６１上に固設され、もう一端は前ハウジング２２２内側壁面に固設され、且つ、可動ベース２６１が前容置空間２２１に位置する時、弾性素子２８は圧縮状態を呈する。
【００１１】
本実施例中、可動ベース２６１内部は、平行で縦向け設置の二定位槽２６４を設置し、後ハウジング２２３の内側壁面は二定位凸ブロック２２６を設置する。その位置は、定位槽２６４の位置と対応して、可動ベース２６１が容置空間２２１中で縦向け移動する時、二定位槽２６４は、それぞれ、定位凸ブロック２２６に沿って移動し、可動ベース２６１が縦向け移動する時、歪斜せずに、定軌効果を有する。一方、図２を参照すると、可動ベース２６１内部は線槽２６５領域を分割し、ノート型パソコンの部分回路を引導し、且つ、カバー２６２により線槽２６５を被覆して、線路が絡まり可動素子２６の移動に影響するのを防止する。
【００１２】
再度、図１を参照すると、可動ベース２６１二側縁の凸ブロック２６３と軌道２４間は、複数のボールを伝動界面として、可動素子２６が軌道上で安定平滑移動できるようにし、且つ、軌道２４上の任意の位置で定位する。
【００１３】
異なる実施例中、可動素子と軌道間に摩擦素子を設置し、連動機構と連結される。連動機構は押しボタンで、本体表面に突設されて、押しボタンが摩擦素子を制御して可動素子で抵止するか否かにより、摩擦素子と可動素子間の摩擦力を釈放するかどうかを決定して、可動素子の定位と移動を制御する。また、摩擦素子、及び、連動機構の組み合わせは、ロック装置により代替でき、ロック装置を可動素子の移動と定位の開閉とする。また、前ハウジング二側縁に設置された二軌道は、前ハウジング中央の単一軌道により代替してもよい。
【００１４】
図３ａ、及び、図３ｂは、上述の実施例をノート型パソコンに応用した異なる実施状態の立体図である。ノート型パソコン１０は、ホスト部１２、及び、ディスプレイ１４、からなり、支承構造２０の本体２２の横向部２２４は、ホスト部１２と可動接続されて、ホスト部１２は特定の軸向きで回転する。また、本体２２から露出する可動素子２６頂端は、パソコン１０のディスプレイ１４を枢設し、ディスプレイ１４下縁二側は、それぞれ、固定素子３０を設置し、且つ、横向部２２４の相対二端は、それぞれ、係合槽（図示しない）を設置し、その位置は固定素子３０の位置と対応して、ディスプレイ１４は横向部２２４により回転して開く時、固定素子３０が係合槽内に係合して、ディスプレイ１４が捻転するのを防止する。
【００１５】
また、可動素子２６頂端がディスプレイ１４時に枢設される時、図４で示されるように、可動素子２６の頂縁二側は、それぞれ、横向けの回転軸２６６を延伸し、ディスプレイ１４の背板の適当な位置に連接部（図示しない）を設置し、回転軸２６６と連接部は枢設され、且つ、ディスプレイ１４は回転軸２６６により特定軸向き、例えば、前傾後仰の回転を生成し、ユーザーはディスプレイ１４を最適な視角に調整することができる。
【００１６】
上述の実施例中、ユーザーがパソコンを使用したいとき、自身の身長やおかれる環境により直接、可動素子を引伸し、可動素子上に枢設されたディスプレイを最適位置に枢設し、且つ、同時に、ディスプレイを最適視角まで旋転させる。可動素子が上に移動する時、元は圧縮状態にあった弾性素子は上への弾性回復力を提供して、可動素子の上移を助け、ユーザーは容易にディスプレイを上下移動させることができる。弾性素子の設置は、ディスプレイ本体の重力を支承して、力を平衡にする効果を有する。また、この二弾性素子は逆Ｖ字型の弾性片により代替してもよい。逆Ｖ字型弾性片の設計は、可動素子により下に移動させるのが困難で、上移動が容易であり、ディスプレイ重力を平衡にする長所を有する。
【００１７】
本発明の支承構造は、ノート型パソコンのディスプレイの上下移動、及び、前傾後仰を提供し、ユーザーは操作時に、ディスプレイの視角の選択が幅広く、人体工学に更に符合し、健康に有益である。また、本発明は、ユーザーの前上方空間が制限される時のディスプレイ使用問題を解決し、便利性を増加する。
【００１８】
本発明の好ましい実施例を前述の通り開示したが、これらは決して本発明に限定するものではなく、当該技術を熟知する者なら誰でも、本発明の精神と領域を脱しない範囲内で各種の変動や潤色を加えることができ、従って、本発明の保護範囲は、特許請求の範囲で指定した内容を基準とする。
【図面の簡単な説明】
【００１９】
【図１】本発明の実施例による支承構造の局部分解図である。
【図２】本発明の実施例による支承構造の可動素子の分解図である。
【図３ａ】本発明の実施例をノート型パソコンに応用した異なる実施状態の立体図である。
【図３ｂ】本発明の実施例をノート型パソコンに応用した異なる実施状態の立体図である。
【図４】本発明の実施例による支承構造とノート型パソコンのディスプレイ背板の組設を示す図である。
【符号の説明】
【００２０】
１０  ノート型パソコン
１２  本体
１４  ディスプレイ
２０  支承構造
２２  本体
２２１  容置空間
２２２  前ハウジング
２２３  後ハウジング
２２４  横向部
２２５  縦向部
２２６  定位凸ブロック
２４  軌道
２６  可動素子
２６１  可動ベース
２６２  カバー
２６３  凸ブロック
２６４  定位槽
２６５  線槽
２６６  回転軸
２８  弾性素子
３０  固定素子
【図１】
2008021073.tif 000003
【図２】
2008021073.tif 000004
【図３ａ】
2008021073.tif 000005
【図３ｂ】
2008021073.tif 000006
【図４】
2008021073.tif 000007